(57)【要約】【課題】電気的な検出精度の向上を図る。【解決手段】球皿構造体の満タンに伴い主流通路５から溢れ出た球が満タン検出通路６から溢れ球受体１４に搭載され、溢れ球受体１４に搭載された球が増えて、当該増えた球の重さにより溢れ球受体１４が満タン検出器１６に内蔵されたばねのばね力に抗して下方に回転すると、溢れ球受体１４が満タン検出器１６の検出器筐体から外側に突出した可動スイッチ突起を下方に押し下げ、満タン検出器１６が満タンを電気的に検出することを示すべくオン動作する。溢れ球受体１４に搭載された球が少なくなり、当該減少した球の重さよりも満タン検出器１６に内蔵されたばねのばね力が大きくなると、可動スイッチ突起と作動片１９および溢れ球受体１４が上方に移動し、満タン検出器１６がオフ動作するとともに、作動片１９で押し上げられた溢れ球受体１４が図示の位置に復帰する。【選択図】        図１
2005160953.tif 000002
【特許請求の範囲】
【請求項１】
払出機構から払い出された球を遊技機枠の前面における球皿構造体の球収納部に排出する通路構造体に設けられた主流通路と、球収納部の満タンに伴い主流通路から溢れ出た球を貯めるために主流通路の球の流れる方向よりも側部に連接された格好で通路構造体に設けられた満タン検出通路と、満タン検出通路の底部を形成する通路構造体に形成された切除部と、主流通路から満タン検出通路に溢れ出た球を載せるために切除部を塞ぐ格好で通路構造体に上下方向に回転可能に設けられた溢れ球受体と、溢れ球受体の搭載された球の重さによる下方への回転で満タンを電気的に検出するために主流通路と満タン検出通路および溢れ球受体のそれぞれよりも外側で通路構造体に取り付けられた満タン検出器とを備えたことを特徴とする遊技機の満タン検出装置。
【請求項２】
満タン検出通路の連接される主流通路の側部が、払出機構から球皿構造体の方向への球の流れが縦方向から横方向に切り換わる横方向部分であって、横方向部分における球の通路断面が縦方向部分における球の通路断面よりも大きいことを特徴とする請求項１記載の遊技機の満タン検出装置。
【請求項３】
溢れ球受体の回転中心が満タン検出通路の払出機構から球皿構造体の方向への球の流れの下流側に設けられたことを特徴とする請求項１記載の遊技機の満タン検出装置。
【請求項４】
満タン検出器がマイクロスイッチにより形成されたことを特徴とする請求項１記載の遊技機の満タン検出装置。
【請求項５】
通路構造体が遊技機枠に取り付けられる構造基体と構造基体に取り付けられる覆体とにより形成されたことを特徴とする請求項１記載の遊技機の満タン検出装置。
【請求項６】
通路構造体が溢れ球受体の下方への回転を規制するストッパーを備えたことを特徴とする請求項１記載の遊技機の満タン検出装置。
【請求項７】
溢れ球受体が主流通路と満タン検出通路およびストッパーよりも外側に延長する満タン検出器の動作確認を行うための操作部を備えたことを特徴とする請求項６記載の遊技機の満タン検出装置。
【発明の詳細な説明】
【技術分野】
【０００１】
本発明は、電気的な検出精度の向上可能な遊技機の満タン検出装置に関する。
【背景技術】
【０００２】
球を遊技媒体として使用するパチンコ機やスロットマシンなどの遊技機の満タン検出装置は、切除部が払出機構から払い出された球を遊技機枠の前面における球皿構造体の球収納部に排出する樋基盤の案内路の縦壁に形成され、樋基盤にはオーバーフロー検出体が吊り下げられた格好で横方向に回転可能に設けられ、オーバーフロー検出体の接触部が切除部を外側から塞ぐ格好で案内路の内部に突出し、オーバーフロー検出センサがオーバーフロー検出体よりも外側に位置して樋基盤に取り付けられている。そして、球が球皿構造体の球収納部の満タンに伴い案内路に貯り、当該貯まった球がオーバーフロー検出体の接触部を案内路の内側から外側に向かう横方向に押圧するのに伴い、オーバーフロー検出センサがオーバーフロー検出体を検出して電気的なオーバーフロー信号を制御装置に出力する。しかしながら、オーバーフロー検出体が球からの横方向の圧力で動作する構造であるため、案内路において、複数の球どうしが互いに接触したまま案内路を囲む樋基盤に接触した、球噛みを生じることがあり、当該球噛みが発生した場合、案内路に貯まった球がオーバーフロー検出体の接触部を押圧することができなくなり、オーバーフロー検出センサがオーバーフロー信号を出力しない検出不良を発生してしまうという欠点がある。
【特許文献１】特開平１１−７６５４４号公報
【発明の開示】
【発明が解決しようとする課題】
【０００３】
発明が解決しようとする問題点は、オーバーフロー検出センサが検出不良を発生してしまうという点である。
【課題を解決するための手段】
【０００４】
本発明に係る遊技機の満タン検出装置は、払出機構から払い出された球を遊技機枠の前面における球皿構造体の球収納部に排出する通路構造体に設けられた主流通路と、球収納部の満タンに伴い主流通路から溢れ出た球を貯めるために主流通路の球の流れる方向よりも側部に連接された格好で通路構造体に設けられた満タン検出通路と、満タン検出通路の底部を形成する通路構造体に形成された切除部と、主流通路から満タン検出通路に溢れ出た球を載せるために切除部を塞ぐ格好で通路構造体に上下方向に回転可能に設けられた溢れ球受体と、溢れ球受体の搭載された球の重さによる下方への回転で満タンを電気的に検出するために主流通路と満タン検出通路および溢れ球受体のそれぞれよりも外側で通路構造体に取り付けられた満タン検出器とを備えたことを最も主要な特徴とする。満タン検出通路の連接される主流通路の側部が、払出機構から球皿構造体の方向への球の流れが縦方向から横方向に切り換わる横方向部分であって、横方向部分における球の通路断面が縦方向部分における球の通路断面よりも大きかったり、溢れ球受体の回転中心が満タン検出通路の払出機構から球皿構造体の方向への球の流れの下流側に設けられたり、満タン検出器がマイクロスイッチにより形成されたり、通路構造体が遊技機枠に取り付けられる構造基体と構造基体に取り付けられる覆体とにより形成されたり、通路構造体が溢れ球受体の下方への回転を規制するストッパーを備えたり、溢れ球受体が主流通路と満タン検出通路およびストッパーよりも外側に延長する満タン検出器の動作確認を行うための操作部を備えたりすることも特徴とする。
【発明の効果】
【０００５】
本発明に係る遊技機の満タン検出装置は、遊技機枠の前面における球皿構造体の球収納部の満タンに伴い主流通路から溢れ出た球を貯める満タン検出通路が、払出機構から払い出された球を球収納部に排出する通路構造体に設けられた主流通路の球の流れる方向よりも側部に連接されたことによって、球収納部が満タンでない場合には、払出機構から払い出された球は、満タン検出通路に行くことなく、主流通路を流下するので、主流通路を流下する球が溢れ球受体に貯まって満タン検出器をオン動作することがなく、満タン検出装置の誤動作を防止することができるという利点がある。また、通路構造体に上下方向に回転可能に設けられた溢れ球受体が満タン検出通路の底部を形成する通路構造体に形成された切除部を塞ぎ、この溢れ球受体が球収納部の満タンに伴い溢れ球受体の搭載された球の重さで下方へ回転することによって、溢れ球受体が主流通路と満タン検出通路および溢れ球受体のそれぞれよりも外側で通路構造体に取り付けられた満タン検出器を動作し、満タン検出器が満タンを電気的に検出するというように、溢れ球受体が球の重さで下方へ回転して満タン検出器を動作するので、満タン検出装置が適切に満タンを検出することができるという利点がある。しかも、満タン検出通路の連接される主流通路の側部が、払出機構から球皿構造体の方向への球の流れが縦方向から横方向に切り換わる横方向部分であって、横方向部分における球の通路断面が縦方向部分における球の通路断面よりも大きければ、払出機構から払い出された球が満タン検出装置の内部で球噛みを発生することがないという利点がある。溢れ球受体の回転中心が満タン検出通路の払出機構から球皿構造体の方向への球の流れの下流側に設けられれば、満タン検出装置が満タンを検出した後、遊技者が球皿構造体の球収納部に満杯となっている球を球収納部から抜き取ることに伴い、主流通路と満タン検出通路および溢れ球受体に貯まっていた球が、球収納部の方向に流下することによって、溢れ球受体に搭載された球の重さが減少するのに伴い、溢れ球受体が下流側に設けられた回転中心を中心として上方に回転し、溢れ球受体が全体的に溢れ球受体の上流側が下流側よりも上方に位置する傾斜形状となるので、この溢れ球受体の傾斜形状となる過程においても、溢れ球受体に搭載された球が溢れ球受体と切除部との間に挟まることがなく、溢れ球受体が元の位置に復元することができるという利点がある。満タン検出器がマイクロスイッチにより形成されれば、マイクロスイッチの内蔵されたばねのばね力で溢れ球受体を元の位置に復元することができ、溢れ球受体が元の位置に復元する専用のばねを省略してコストダウンを図ることができるという利点がある。通路構造体が遊技機枠に取り付けられる構造基体と構造基体に取り付けられる覆体とにより形成されれば、溢れ球受体や満タン検出器を通路構造体の内部に容易に組み付けることができるという利点がある。通路構造体が溢れ球受体の下方への回転を規制するストッパーを備えれば、溢れ球受体による満タン検出器の押し過ぎを防止し、満タン検出器を保護することができるという利点がある。溢れ球受体が主流通路と満タン検出通路およびストッパーよりも外側に延長する満タン検出器の動作確認を行うための操作部を備えれば、満タン検出器が電気的に動作するとともに溢れ球受体が球の重さで下方に回転していない場合において、人が操作部を押し下げることによって、溢れ球受体が回転中心を中心として下方に回転し、満タン検出器が電気的な検出動作を適切に行うか否かを、人が確認することができるというという利点がある。
【発明を実施するための最良の形態】
【０００６】
図１−図６は、一実施形態である。図１は、遊技機の満タン検出装置１を分解して示す。図２は、通路構造体２における構造基体３を裏側から見た正面を示す。図３は、遊技機枠３１に取り付けられた構造基体３と覆体４とを分解して示す。図４は、満タン検出装置１の作用を説明する縦方向の断面を示す。図５は、満タン検出装置１の取り付けられた遊技機枠３１の裏面からの外観を示す。図６は、遊技機枠３１の前面からの外観を示す。
【０００７】
図６を参照し、パチンコ機における遊技機枠３１の構造について説明する。遊技機枠３１は、パチンコ店の図外の遊技設置構造体に取り付けるための外枠と呼ばれるような金属製の固定枠３２を備える。固定枠３２は前後方向に開放された縦長な長方形の空間を囲む額縁形状である。固定枠３２の下部前面に設けられた幕板部３３には、図外の低音用のスピーカーの低音を幕板部３３の裏側から前側に放出する放音孔部３４が左右に設けられる。放音孔部３４の裏面には低音用のスピーカーが個別に取り付けられる。固定枠３２には、前枠または中枠と呼ばれるような可動枠３５が、左側の金属製のヒンジ３６で前側横方向に片開き可能にかつ着脱可能（交換可能）に取り付けられる。可動枠３５が閉じられた場合、図外のロック機構によって、開閉不能に固定枠３２に支持される。可動枠３５には、パネル枠３７および球皿構造体３８が左側に設けられるヒンジ３９で前側横方向に片開き可能に取り付けられる。
【０００８】
パネル枠３７は前後方向に開放された窓４１を囲む額縁形状である。パネル枠３７の裏面には、ガラスまたは合成樹脂からなる光透過性を有する無色な前面パネル４２が窓４１を覆う格好で取り付けられる。パネル枠３７の左右上部には、図外の中・高音用のスピーカーの中・高音をパネル枠３７の裏側から前側に放出する放音孔部４３が設けられる。放音孔部４３の裏面には、図外の中・高音用のスピーカーが個別に取り付けられる。パネル枠３７が閉じられた場合、図外のロック機構によって、開閉不能に、可動枠３５に支持される。球皿構造体３８が閉じられた場合、ロック機構によって、開閉不能に、可動枠３５に支持される。可動枠３５の右縦片には施錠装置４４が設けられる。
【０００９】
可動枠３５やパネル枠３７および球皿構造体３８が閉じられてロック機構で開閉不能に支持された状態において、遊技店の店員が図外のキープレート（鍵）を遊技機枠３１の前側から施錠装置４４の鍵穴４５に挿入し、当該キープレートを例えば右側に９０度回転操作すると、固定枠３２と可動枠３５とのロック機構による支持形態が解除される。この支持形態の解除後に、店員が可動枠３５を前側に引くことによって、可動枠３５はヒンジ３６を回転中心として前側に片開きされる。また、上記施錠装置４４の鍵穴４５に挿入されたキープレートが例えば左側に９０度回転操作されると、可動枠３５とパネル枠３７とのロック機構による支持形態が解除される。この支持形態の解除後に、店員がパネル枠３７を前側に引くことによって、パネル枠３７はヒンジ３９を回転中心として前側に片開きされる。このように、パネル枠３７が前側に開かれた状態において、店員が可動枠３５の前面に設けられた図外のロック解除操作体を操作すると、可動枠３５と球皿構造体３８とのロック機構による支持形態が解除される。この支持形態の解除後に、店員が球皿構造体３８を前側に引くことによって、球皿構造体３８はヒンジ３９を回転中心として前側に片開きされる。
【００１０】
球皿構造体３８が前側に片開きされた場合、遊技機枠３１の前側から見える可動枠３５の前面には、発射機構４７、発射レール４８、ファール球取入口部４９、前横樋５０を備える。発射レール４８は、球皿構造体３８の球供給口５７から供給された１個の球を受け取る。発射機構４７は、電力供給と遮断とを交互に受けることによって、球収納部５２から発射レール４８に供給された１個の球を、可動枠３５の内部に着脱可能（交換可能）に取り付けられた図外の遊技盤の遊技領域に向けて発射する。発射レール４８は、発射機構４７から発射された球を、遊技盤における発射通路の入口に誘導する。ファール球取入口部４９は、遊技盤の発射通路から落下する球を取り込む。ファール球取入口部４９に取り込まれた球は、前横樋５０を経由して前横樋５０の球排出口５３に排出される。前横樋５０は、可動枠３５の裏部に取り付けられた払出機構６７から払い出された球を前横樋５０の球取入口５４から取り込んで球排出口５３に排出する。球皿構造体３８の前面には、球収納部５２と発射操作機構５５とを備える。球収納部５２は、遊技に使用する球を受ける上方に開放された形態である。球皿構造体３８の裏面には、球を球収納部５２に供給する球取入口５６と、球収納部５２から発射機構４７に球を供給する球供給口５７とを備える。
【００１１】
図５を参照し、可動枠３５の裏側の構造について説明する。可動枠３５は、前後方向に開放された縦長な長方形の空間を囲む額縁形状の合成樹脂からなる可動枠本体６１と、可動枠本体６１から内部に延設された合成樹脂からなる遊技主体収納構造体６２とを備える。遊技主体収納構造体６２は、前側に開放された遊技主体収納室６３と、遊技主体収納室６３の縦壁に前後方向に貫通する中央開口部６４とを備える。可動枠３５の裏部、具体的には、遊技主体収納構造体６２の裏面の上部には、タンク６５と裏横樋６６と払出機構６７とが、左右に並べられて取り付けられる。タンク６５は、図外のパチンコ店における島と呼ばれる遊技設置構造体の補給系統から供給された球を貯蔵し、貯蔵した球を払出機構６７の球払出動作に伴い裏横樋６６から払出機構６７に供給する部品である。遊技主体収納構造体６２の裏面におけるヒンジ３６の側に位置する側部には、払出機構６７から払い出された球を下方に誘導する縦樋６８と、縦樋６８を流下した球を縦方向から遊技主体収納構造体６２の中央側の横方向に向けて誘導する満タン検出装置１とが、取り付けられる。満タン検出装置１の出口は、図６に示す前横樋５０の球取入口５４を囲むように遊技主体収納構造体６２に突出した入口周壁部６９に接続される。そして、タンク６５と裏横樋６６および払出機構６７に球が供給されている状態において、払出機構６７に内蔵されたスプロケットのような払出体７０が図外の払出駆動源で駆動されると、払出機構６７が賞球または貸球としての球を払い出し、この払出機構６７から払い出された球は、縦樋６８と満タン検出装置１と入口周壁部６９および図６の前横樋５０を経由して球皿構造体３８の球収納部５２に払い出される。
【００１２】
図１を参照し、パチンコ機における満タン検出装置１の構造について説明する。満タン検出装置１は、光透過性の有る無色な合成樹脂からなる通路構造体２を備える。通路構造体２は、構造基体３と覆体４とを備える。構造基体３は、遊技機枠３１、具体的には、遊技主体収納構造体６２の裏面に取り付けられる。覆体４は、構造基体３に取り付けられる。そして、構造基体３と覆体４とが互いに組み合わされることによって、通路構造体２で囲まれた主流通路５と満タン検出通路６とが通路構造体２の内部に形成される。主流通路５は、図６の払出機構６７から払い出された球を遊技機枠３１の前面における球皿構造体３８の球取入口５３に排出するための通路である。満タン検出通路６は、図６に示す球収納部５２の満タンに伴い主流通路５から溢れ出た球を貯めるための通路であって、主流通路５の球の流れる矢印Ｘ１で示す方向よりも側部、具体的には、主流通路５の球の流れる方向よりも後側に連接された格好である。
【００１３】
満タン検出通路６の連接される主流通路５の側部は、払出機構６７から球皿構造体３８の方向への球の流れが縦方向から横方向に切り換わる横方向部分である。主流通路５における横方向部分における球の通路断面は、主流通路５の縦方向部分における球の通路断面よりも大きい。具体的には、図４のａ図にも示すように、横方向部分における球の通路断面の前後幅Ｌ１は、主流通路５の縦方向部分の上部における球の通路断面の前後幅Ｌ２よりも大きい。前後幅Ｌ１は、図４のｃ図にも示すように、３個の球Ｐが前後方向に互いに接触して並んでも、両端の２つの球Ｐが主流通路５と満タン検出通路６とを囲む通路構造体２の前後面から離れる寸法であって、前後方向に互いに接触して並んだ３個の球Ｐの直径（１個の球の３倍の寸法）よりも大きいが、前後方向に互いに接触して並んだ４個の球Ｐの直径（１個の球の４倍の寸法）よりも小さく、具体的には、３５ｍｍ程度であれば、当該満タン検出通路６の連接される主流通路５の横方向部分において、球噛みの発生することがない。覆体４は、主流通路５と満タン検出通路６と溢れ球受体１４および満タン検出器１６を被覆する形状の板状である。覆体４の周縁部には、ねじ挿入孔７が、構造基体３における取付孔２６と対応する位置に形成される。覆体４には、軸受部８が、覆体４から裏側に突出する。軸受部８には、軸受孔９が、覆体４の前面から軸受部８の内部に窪み、軸受部８の裏面に貫通しない形態に、形成される。遊技主体収納構造体６２の裏面には、満タン検出装置１を取り付けるためのねじ取付孔７１と位置決め部７２とが、縦樋６８と入口周壁部６９との間の部分に設けられる。位置決め部７２は、遊技主体収納構造体６２の裏面から前側に窪む凹部として形成される。
【００１４】
構造基体３は、相対峙する通路側壁１１が板状の前壁１２から後側としての裏側に突出する。相対峙する通路側壁１１は、縦方向と横方向としての左方向とに屈曲する形態である。相対峙する通路側壁１１における縦方向の上半部の前壁１２からの突出寸法である前後幅Ｈ１は、相対峙する通路側壁１１における縦方向の下半部の前壁１２からの突出寸法である前後幅Ｈ２と、相対峙する通路側壁１１における横方向の前壁１２からの突出寸法である前後幅Ｈ２とよりも低い（Ｈ１＜Ｈ２）。相対峙する通路側壁１１における縦方向の下半部の前壁１２からの突出寸法である前後幅Ｈ２および相対峙する通路側壁１１における横方向の前壁１２からの突出寸法である前後幅Ｈ２は、同じである（Ｈ２＝Ｈ２）。
【００１５】
図２にも示すように、満タン検出通路６の底部を形成する通路構造体２には、切除部１３が形成される。通路構造体２、具体的には、構造基体３には、溢れ球受体１４が、主流通路５から満タン検出通路６に溢れ出た球を載せるために切除部１３を塞ぐ格好で、軸１５で、上下方向に回転可能に設けられる。溢れ球受体１４の回転中心を構成する軸１５は、満タン検出通路６の払出機構６７から球皿構造体３８の方向への球の流れの下流側に設けられる。通路構造体２、具体的には、構造基体３には、満タン検出器１６が、主流通路５と満タン検出通路６および溢れ球受体１４のそれぞれよりも外側で取り付けられる。満タン検出器１６は、溢れ球受体１４の搭載された球の重さによる下方への回転で満タンを電気的に検出する部品であって、マイクロスイッチにより形成される。構造基体３の切除部１３よりも前側に位置する主流通路５よりも下部には、検出器取付部１７が、前壁１２から裏側に突出する。検出器取付部１７の前壁１２からの突出寸法である高さは、構造基体３のおける切除部１３よりも前側に位置する主流通路５の底部を形成する側壁の前壁１２から切除部１３までの高さよりも小さい。これによって、検出器取付部１７が、溢れ球受体１４の回転運動を規制することはない。
【００１６】
検出器取付部１７の裏面には、満タン検出器１６の合成樹脂からなる検出器筐体が検出器取付部１７の裏面に接触した状態で、満タン検出器１６が止ねじ１８で取り付けられる。満タン検出器１６が検出器取付部１７に取り付けられた場合、満タン検出器１６の検出器筐体から外側に突出した作動片１９が溢れ球受体１４の方向に向けられ、作動片１９の上端部が溢れ球受体１４の下面に接触し、作動片１９が満タン検出器１６に内蔵されたばねのばね力で溢れ球受体１４を支持する。このように作動片１９が溢れ球受体１４を支持することによって、溢れ球受体１４の上面としての球受面２０は、満タン検出通路６の底部における上面としての球接触面２１と平行となるものの、満タン検出通路６の球接触面２１よりも少し上方に位置する格好となる。球受面２０と球接触面２１との段差は、球が満タン検出通路６の球接触面２１から溢れ球受体１４の球受面２０に搭載されるのを妨げることのない寸法である。
【００１７】
そして、球収納部５２の満タンに伴い主流通路５から溢れ出た球が満タン検出通路６から溢れ球受体１４に搭載され、溢れ球受体１４に搭載された球の個数が増えて、当該個数の増加した球の重さにより溢れ球受体１４が満タン検出器１６に内蔵されたばねのばね力に抗して下方に回転すると、溢れ球受体１４が満タン検出器１６の検出器筐体から外側に突出した可動スイッチ突起２２を下方に押し下げ、満タン検出器１６が満タンを電気的に検出することを示すべくオン動作する。溢れ球受体１４に搭載された球の個数が少なくなり、当該個数の減少した球の重さよりも満タン検出器１６に内蔵されたばねのばね力が大きくなると、可動スイッチ突起２２と作動片１９および溢れ球受体１４が上方に移動し、満タン検出器１６がオフ動作するとともに、作動片１９で押し上げられた溢れ球受体１４が図示の位置に復帰する。
【００１８】
構造基体３における前壁１２には、ストッパー２３を備える。ストッパー２３は、球の重さにより下方に回転した溢れ球受体１４をそれ以上下方に行かないように受け止める。このように溢れ球受体１４がストッパー２３で受け止められることによって、溢れ球受体１４による満タン検出器１６の作動片１９の押し過ぎが防止される。溢れ球受体１４には、操作部２４が、主流通路５と満タン検出通路６およびストッパー２３よりも外側に延長する形態に設けられる。操作部２４は、満タン検出装置１が遊技主体収納構造体６２に取り付けられた状態において、人が操作部２４を操作し、満タン検出器１６の動作確認を行うためのものである。具体的には、満タン検出装置１が遊技主体収納構造体６２に取り付けられ、満タン検出器１６が電気的に動作するように図外の制御装置に配線され、当該制御装置が電気的に駆動し、溢れ球受体１４が球の重さで下方に回転しておらず、図示のように、溢れ球受体１４の球受面２０と満タン検出通路６の球接触面２１とが互いに平行となった形態において、人が操作部２４を押し下げることによって、溢れ球受体１４が軸１５を中心として下方に回転し、満タン検出器１６が電気的にオン動作するか否かを、人が確認する。構造基体３における前壁１２の周縁部には、遊技主体収納構造体６２に取り付けるための装置取付部としてのねじ挿入孔２５が前後方向に貫通する。構造基体３における相対峙する通路側壁１１の外側面には、筒状の取付孔２６と位置決め部７３とが設けられる。位置決め部７３は、構造基体３の前面から前側に突出する凸部として形成される。
【００１９】
図３を参照し、満タン検出装置１の遊技主体収納構造体６２に取り付けられる構造について説明する。溢れ球受体１４および満タン検出器１６の取り付けられた構造基体３の前壁１２の前面が、遊技主体収納構造体６２の裏面に向けられた格好で、位置決め部７３と位置決め部７２とが嵌め合わされ、構造基体３の前壁１２が遊技主体収納構造体６２の裏面に接触され、構造基体３の相対峙する通路側壁１１の上端が縦樋６８の下端と対応し、構造基体３の相対峙する通路側壁１１の左端が入口周壁部６９の右端と対応し、図１に示す止ねじ２７が構造基体３のねじ挿入孔２５から遊技主体収納構造体６２のねじ取付孔７１に締結されることによって、構造基体３が遊技主体収納構造体６２に取り付けられる。覆体４が、主流通路５と満タン検出通路６と溢れ球受体１４および満タン検出器１６を裏側から被覆するように、構造基体３に被せられる。この場合、溢れ球受体１４から裏側に突出する軸１５が軸受部８の軸受孔９に嵌め込まれる。その後、止ねじ２８が覆体４のねじ挿入孔７から構造基体３の取付孔２６に締結されることによって、覆体４が構造基体３に取り付けられる。これによって、構造基体３と覆体４とからなる通路構造体２の内部には、主流通路５と満タン検出通路６とが囲まれた形態に形成される。この形成された主流通路５の上端開口と縦樋６８の下端開口とが互いに接続され、主流通路５の左端開口と入口周壁部６９の右端開口とが互いに接続される。
【００２０】
本実施形態の構造によれば、図１に矢印Ｘ１で示すように、縦樋６８から下方に落下した球は、満タン検出装置１における主流通路５の前後幅の狭い縦方向部分において、下側の通路側壁１１における外側から主流通路５の前後幅の狭い縦方向部分に突出した膨出部Ａに衝突して右側から左側に進路が変わり、この進路の変更されつつ落下する球は上側の通路側壁１１における外側から主流通路５の前後幅の狭い縦方向部分に突出した膨出部Ｂに衝突して左側から右側に進路が変わり、この進路の変更されつつ落下する球は主流通路５における前後幅の広い横方向部分の底部を構成する下側の通路側壁１１に衝突して右側から左側に進路が変わり、この進路の変更されつつ落下する球は主流通路５における前後幅の広い横方向部分の底部を構成する下側の通路側壁１１に沿って主流通路５の左端開口である出口に向かって直線的に流下するという利点がある。
【００２１】
図４を参照し、図６に示す球収納部５２に球が満杯となった、球収納部５２の満タンに伴う満タン検出装置１の動作について説明する。図４のａ図は、球収納部５２に球が満杯になった直後の態様を示す。図４のｂ図は、球収納部５２に球が満杯になってから少し時間の経過した態様を示す。図４のｃ図は、球収納部５２に球が満杯になった後の満タン検出の態様を示す。先ず、図４のａ図に示すように、球収納部５２に球が満杯になった直後にあっては、図１に示す縦樋６８から満タン検出装置１に供給された球Ｐは、仮想線および実線ならびに矢印Ｘ１で示すように主流通路５を通常状態のように流れる。次に、図４のｂ図に示すように、球収納部５２に球Ｐが満杯になってから少し時間の経過した場合、縦樋６８から満タン検出装置１に供給された球Ｐは、実線で示すように主流通路５と満タン検出通路６とに貯まる。そして、図４のｃ図に示すように、球収納部５２に球が満杯になった後の満タン検出の場合、縦樋６８から満タン検出装置１に供給された球Ｐは、実線で示すように主流通路５と満タン検出通路６および溢れ球受体１４の上に搭載される。この溢れ球受体１４に搭載された球Ｐの個数が増えて、当該個数の増えた球Ｐの重さにより溢れ球受体１４が軸１５を中心として図２に示す満タン検出器１６に内蔵されたばねのばね力に抗して下方に回転し、溢れ球受体１４の球受面２０が満タン検出通路６の球接触面２１と同一面内に位置する。この溢れ球受体１４の球受面２０が満タン検出通路６の球接触面２１と同一面内に位置する過程において、溢れ球受体１４が図２に示す満タン検出器１６の作動片１９を押し下げることによって、満タン検出器１６が満タンを電気的に検出する。
【００２２】
実施形態の構造によれば、図６の球収納部５２の満タンに伴い図１の主流通路５から溢れ出た球を貯める満タン検出通路６が、図６の払出機構６７から払い出された球を遊技機枠３１の前面における球皿構造体３８の球収納部５２に排出する通路構造体２に設けられた主流通路５の球の流れる矢印Ｘ１で示す方向よりも側部としての後側に連接されているので、球収納部５２が満タンでない場合には、払出機構６７から払い出された球は、満タン検出通路６に行くことなく、主流通路５を流下する。よって、主流通路５を流下する球が溢れ球受体１４に貯まって満タン検出器１６をオン動作することがなく、満タン検出装置１の誤動作を防止することができる。通路構造体２に上下方向に回転可能に設けられた溢れ球受体１４が満タン検出通路６の底部を形成する通路構造体２に形成された切除部１３を塞ぎ、この溢れ球受体１４が球収納部５２の満タンに伴い溢れ球受体１４に搭載された球の重さで下方へ回転すると、溢れ球受体１４が主流通路５と満タン検出通路６および溢れ球受体１４のそれぞれよりも外側で通路構造体２に取り付けられた満タン検出器１６を動作し、満タン検出器１６が満タンを電気的に検出する。つまり、溢れ球受体１４が球の重さで下方へ回転して満タン検出器１６を動作するので、溢れ球受体１４に搭載された複数の球どうしが例えば球噛みをしたとしても、当該球噛みをした複数の球の重さが溢れ球受体１４に加わり、溢れ球受体１４が下方に回転し、満タン検出器１６が満タンを電気的に検出するので、満タン検出装置１が適切に満タンを検出することができるという利点がある。
【００２３】
実施形態の構造によれば、満タン検出通路６の連接される主流通路５の側部が、払出機構６７から球皿構造体３８の方向への球の流れが図１の矢印Ｘ１で示すように縦方向から横方向に切り換わる横方向部分であって、横方向部分における球の通路断面が縦方向部分における球の通路断面よりも大きい。具体的には、図４のａ図に示すように、満タン検出通路６の連接される主流通路５の横方向部分における球の通路断面の前後幅Ｌ１は、主流通路５の縦方向部分の上部における球の通路断面の前後幅Ｌ２よりも大きい。よって、図５の払出機構６７から縦樋６８を経由して払い出された球が満タン検出装置１の内部で球噛みを発生することがないという利点がある。
【００２４】
実施形態の構造によれば、溢れ球受体１４の回転中心を構成する軸１５が満タン検出通路６の払出機構６７から球皿構造体３８の方向への球の流れの下流側に設けられているので、満タン検出装置１が満タンを検出した後、遊技者が球皿構造体３８の球収納部５２に満杯となっている球を球収納部５２から抜き取ることに伴い、主流通路５と満タン検出通路６および溢れ球受体１４に貯まっていた球が、球収納部５２の方向に流下する。そして、溢れ球受体１４に搭載された球の重さが減少するのに伴い、溢れ球受体１４が下流側に設けられた軸１５を中心として上方に回転し、溢れ球受体１４が全体的に溢れ球受体１４の上流側が下流側よりも上方に位置する傾斜形状となるので、この溢れ球受体１４の傾斜形状となる過程においても、溢れ球受体１４に搭載された球が溢れ球受体１４と切除部１３との間に挟まることがなく、溢れ球受体１４が満タン検出器１６に内蔵されたばねのばね力で適切に図２に示すように元の位置に復元することができるという利点がある。
【００２５】
実施形態の構造によれば、満タン検出器１６が、光または磁気を利用した非接触センサに比べて安価に市販されているばねを内蔵したマイクロスイッチにより形成されているので、マイクロスイッチの内蔵されたばねのばね力で溢れ球受体１４を元の位置に復元することができ、コストダウンを図ることができるという利点がある。通路構造体２が遊技機枠３１に取り付けられる構造基体３と構造基体３に取り付けられる覆体４とにより形成されているので、溢れ球受体１４や満タン検出器１６を通路構造体２の内部に容易に組み付けることができるという利点がある。通路構造体２が溢れ球受体１４の下方への回転を規制するストッパー２３を備えているので、溢れ球受体１４による満タン検出器１６の作動片１９の押し過ぎを防止し、満タン検出器１６を保護することができるという利点がある。溢れ球受体１４が主流通路５と満タン検出通路６およびストッパー２３よりも外側に延長する満タン検出器１６の動作確認を行うための操作部２４を備えているので、満タン検出器１６が電気的に動作するように図外の制御装置に配線され、当該制御装置が電気的に駆動し、溢れ球受体１４が球の重さで下方に回転していない形態において、人が操作部２４を押し下げることによって、溢れ球受体１４が軸１５を中心として下方に回転し、満タン検出器１６が電気的にオン動作するか否かを、人が確認することができるというという利点がある。
【産業上の利用可能性】
【００２６】
遊技機として球を遊技媒体として使用するスロットマシンにも適用することができる。
【図面の簡単な説明】
【００２７】
【図１】満タン検出装置を示す分解斜視図（一実施形態）。
【図２】構造基体を裏側から示す正面図（同実施形態）。
【図３】構造基体と覆体とを示す分解斜視図（同実施形態）。
【図４】満タン検出装置の作用を示す縦断面図（同実施形態）。
【図５】遊技機枠を裏側から示す斜視図（同実施形態）。
【図６】遊技機枠を前面から示す斜視図（同実施形態）。
【符号の説明】
【００２８】
１  満タン検出装置
２  通路構造体
３  構造基体
４  覆体
５  主流通路
６  満タン検出通路
１３  切除部
１４  溢れ球受体
１５  軸
１６  満タン検出器
２３  ストッパー
２４  操作部
３１  遊技機枠
３８  球皿構造体
５２  球収納部
６７  払出機構
【図４】
2005160953.tif 000003
【図６】
2005160953.tif 000004
【図１】
2005160953.tif 000005
【図２】
2005160953.tif 000006
【図３】
2005160953.tif 000007
【図５】
2005160953.tif 000008